(57)【要約】【課題】ユーザが、複数の番組録画装置を用いて、特定の番組を同一の記録媒体に録画予約する作業を簡素化する。【解決手段】番組録画装置１０は、ＢＤ１５を指定して、録画予約情報Ａを設定する第１録画予約情報設定部１と、自身に装填されたＢＤ１５を判別する記録媒体判別部２と、記録媒体判別部２が判別したＢＤ１５に記録された録画予約情報ＢをＢＤ１５から読み取り、録画予約情報Ｂを記録した他の番組録画装置の存在を認識すると共に、第１録画予約情報設定部１から読み出した録画予約情報Ａに、録画予約情報Ｂを合成し、その合成された情報を録画予約情報Ｃとして設定する第３録画予約情報設定部３と、録画予約情報Ａおよび録画予約情報Ｃの少なくとも一方を読み出して、ＢＤ１５に書き込む録画予約情報書込部４と、を備える。【選択図】図１
2010068458.tif 000002
【特許請求の範囲】
【請求項１】
番組を記録媒体に録画する番組録画装置であって、
特定の記録媒体を指定して、番組を録画予約するための情報である第１録画予約情報を設定する第１録画予約情報設定手段と、
自身に装填された上記特定の記録媒体を判別する記録媒体判別手段と、
上記記録媒体判別手段が判別した上記特定の記録媒体に記録され、番組を録画予約するための情報である第２録画予約情報を上記特定の記録媒体から読み取り、その第２録画予約情報を記録した他の番組録画装置の存在を認識すると共に、上記第１録画予約情報設定手段から読み出した上記第１録画予約情報に、上記第２録画予約情報を合成し、その合成された情報を第３録画予約情報として設定する第３録画予約情報設定手段と、
上記第１録画予約情報および上記第３録画予約情報の少なくとも一方を読み出して、上記特定の記録媒体に書き込む番組予約情報書込手段と、を備えることを特徴とする番組録画装置。
【請求項２】
上記番組予約情報書込手段は、上記特定の記録媒体が装填された時に、上記第１録画予約情報を上記特定の記録媒体に書き込むことを特徴とする請求項１に記載の番組録画装置。
【請求項３】
上記番組予約情報書込手段は、上記特定の記録媒体が装填された状態において、上記第３録画予約情報設定手段が上記第３録画予約情報を設定した時に、上記第３録画予約情報を上記特定の記録媒体に書き込むことを特徴とする請求項１または２に記載の番組録画装置。
【請求項４】
上記特定の記録媒体が装填されていない場合に、その旨を、自身が接続されたテレビ画面への表示、自身が有するディスプレイへの表示、あるいは音声によりユーザに対して警告する第１警告手段を有することを特徴とする請求項１から３の何れか１項に記載の番組録画装置。
【請求項５】
録画予約時間が重複する２以上の番組が上記第３録画予約情報に含まれるか否かを判定する録画時間重複判定手段を備えることを特徴とする請求項１から４の何れか１項に記載の番組録画装置。
【請求項６】
上記録画時間重複判定手段が、録画予約時間が重複する番組が２以上存在すると判断した場合に、該当する番組のうち少なくとも１つを録画する記録手段を備えることを特徴とする請求項５に記載の番組録画装置。
【請求項７】
上記録画時間重複判定手段が、録画予約時間が重複する番組が２以上存在すると判断した場合に、その旨を、自身が接続されたテレビ画面への表示、自身が有するディスプレイへの表示、あるいは音声によりユーザに対して警告する第２警告手段を有することを特徴とする請求項５または６に記載の番組録画装置。
【請求項８】
上記録画時間重複判定手段が、録画予約時間が重複する番組が２以上存在すると判断した場合に、自身で録画するか、あるいは上記他の番組録画装置で録画するかをユーザに選択させる録画装置選択手段を備えることを特徴とする請求項５から７の何れか１項に記載の番組録画装置。
【請求項９】
特定の記録媒体を指定して、番組を録画予約するための情報である第１録画予約情報を設定する第１録画予約情報設定処理と、
自身に装填された上記特定の記録媒体を判別する記録媒体判別処理と、
上記記録媒体判別手段が判別した上記特定の記録媒体に記録され、番組を録画予約するための情報である第２録画予約情報を上記特定の記録媒体から読み取り、その第２録画予約情報を記録した他の番組録画装置の存在を認識すると共に、上記第１録画予約情報設定手段から読み出した上記第１録画予約情報に、上記第２録画予約情報を合成し、その合成された情報を第３録画予約情報として設定する第３録画予約情報設定処理と、
上記第１録画予約情報および上記第３録画予約情報の少なくとも一方を読み出して、上記特定の記録媒体に書き込む予約情報書込処理と、をコンピュータに実行させるための番組録画プログラム。
【請求項１０】
請求項９に記載の番組録画プログラムを記録したコンピュータ読み取り可能な記録媒体。
【発明の詳細な説明】
【技術分野】
【０００１】
本発明は、複数の番組録画装置間で連動して番組録画予約が可能な番組記録装置、番組録画プログラム、及び該番組録画プログラムを記録したコンピュータ読み取り可能な記録媒体に関する。
【背景技術】
【０００２】
地上波放送や衛星放送などのテレビジョン放送の普及に伴い、テレビジョン放送の放送番組を記録し再生するための番組録画装置が広く普及している。
【０００３】
従来の番組録画装置は、映像信号および音声信号をテープ媒体などに記録するものが大半であり、また放送局から放送等により送信される番組を録画する場合、使用者が録画しようとする番組に応じて、自らその録画設定（例えば、チャンネル、録画時間、標準モード／３倍モード等）を行っていた。
【０００４】
しかしながら、近年のデジタル信号処理技術の発達により、ハードディスクや光ディスクなどの記録媒体（記録メディア）に放送番組をディジタル信号として記録する番組記録装置も登場している。また、一般に番組録画装置は、タイマー装置などを内蔵しており、あらかじめ日時を指定することで自動的に番組を録画する録画予約機能を備えている。
【０００５】
ここで、上記のタイマー装置では、従来、所望の放送番組が放送される日時をユーザ自らがタイマー装置などに設定する必要があった。こうしたユーザの負担を軽減するための方法として、例えば、インターネットなどを通じて提供される放送番組表データ（電子番組ガイド：Ｅｌｅｃｔｒｏｎｉｃ Ｐｒｏｇｒａｍ Ｇｕｉｄｅ）をユーザが選択することにより、番組記録装置が対応する日時データを自動的に取り込み、当該日時データを録画日時として自動的に設定する方法などが知られている。また、録画日時を自動的に設定する方法の応用として、番組記録装置がユーザの視聴する番組の傾向を予測する予測手段を備えることで、ユーザの視聴する放送番組の傾向に応じて自動的に録画予約設定を実行する方法などが提案されている。
【０００６】
ここで、特許文献１では、記録媒体に設けられた管理領域に記録の予約情報、つまり録画予約情報を記録したり、あるいは予め記録しておくことにより、番組録画装置が、その起動に際して、自動的に予約記録を得られるような記録媒体を提供している。これにより、記録媒体に記録された録画予約情報の記録、変更、再生が番組記録装置から操作でき、番組録画装置への番組予約操作がユーザにとってより簡単に行えるようになっている。
【特許文献１】特開平１１−２１３６２７号公報（平成１１年８月６日公開）
【発明の開示】
【発明が解決しようとする課題】
【０００７】
しかしながら、特許文献１に記載の記録媒体、及び番組録画装置では、以下のような問題がある。つまり、例えば、ユーザが、複数の番組録画装置を用いて連続ドラマ等のシリーズ番組を同一の記録媒体に録画予約したい場合がある。このような場合に、特許文献１に記載の記録媒体、及び番組録画装置では、複数の番組録画装置において、予約情報を共有し合う方法を何ら提示していない。従って、各番組録画装置への番組録画予約の設定が各々行われた場合に、互いの最新予約情報を共有することができず、ユーザは、各々の番組録画装置に対して、他方の録画予約情報を手動で入力し直す必要がある。
【０００８】
本発明は、上記の問題点に鑑みてなされたものであり、その目的は、ユーザが、複数の番組録画装置を用いて、特定の番組を同一の記録媒体に録画予約する作業を簡素化することにある。
【課題を解決するための手段】
【０００９】
本発明に係る番組録画装置は、上記課題を解決するために、番組を記録媒体に録画する番組録画装置であって、特定の記録媒体を指定して、番組を録画予約するための情報である第１録画予約情報を設定する第１録画予約情報設定手段と、自身に装填された上記特定の記録媒体を判別する記録媒体判別手段と、上記記録媒体判別手段が判別した上記特定の記録媒体に記録され、番組を録画予約するための情報である第２録画予約情報を上記特定の記録媒体から読み取り、その第２録画予約情報を記録した他の番組録画装置の存在を認識すると共に、上記第１録画予約情報設定手段から読み出した上記第１録画予約情報に、上記第２録画予約情報を合成し、その合成された情報を第３録画予約情報として設定する第３録画予約情報設定手段と、上記第１録画予約情報および上記第３録画予約情報の少なくとも一方を読み出して、上記特定の記録媒体に書き込む番組予約情報書込手段と、を備えることを特徴としている。
【００１０】
ユーザは、複数の番組録画装置を用いて、連続ドラマ等の特定の番組を同一の記録媒体（特定の記録媒体）に録画予約しておきたい場合がある。そのような場合に、上記番組録画装置では、上記特定の記録媒体を指定して、第１録画予約情報設定手段が第１番組録画予約情報を設定することができ、しかも、番組予約情報書込手段によってその第１番組録画予約情報は上記特定の記録媒体に書き込まれる。
【００１１】
あるいは、上記特定の記録媒体には、他の番組録画装置が設定した第２番組録画予約情報であって、上記番組録画装置と、時には同一の録画予約情報が設定され、時には異なる録画予約情報が設定されている。そのような場合、特定の記録媒体であることが記録媒体判別手段によって判別されると、上記特定の記録媒体に記録された他の番組録画装置が設定した第２番組録画予約情報と上記第１番組録画予約情報とから合成された第３番組録画予約情報が設定され、番組予約情報書込手段がその第３番組録画予約情報を上記特定の記録媒体に書き込む。つまり、上記番組録画装置と上記他の番組録画装置とで設定された各々の録画予約情報が合成されて、その時点で各番組録画装置で設定されている最新の録画予約情報が上記特定の記録媒体上に記録される。
【００１２】
このようにして、特定の記録媒体には第１番組録画予約情報および上記第３録画予約情報の少なくとも一方が書き込まれる。そして、その特定の記録媒体を、上記番組録画装置と同様の構成を備える他の番組録画装置に装填すれば、上記番組録画装置で設定された第１番組録画予約情報が、上記他の番組録画装置にも容易に設定され、その結果、ユーザは、複数の番組録画装置を用いて、特定の番組を同一の記録媒体に録画予約する作業を簡素化することができる。
【００１３】
さらに、第３録画予約情報設定手段は、第２録画予約情報から上記他の番組録画装置の存在を認識することが可能である。従って、後述するように、録画予約時間が重複する番組が２以上存在する場合には、自身で録画するか、あるいは上記他の番組録画装置で録画するかをユーザに選択させることができる。その結果、鑑賞したい番組を可能な限り録画することができ、ユーザに対して優れた録画環境を提供することができ、ユーザは、複数の番組録画装置を用いて、特定の番組を同一の記録媒体に録画予約することを容易に、より効率的に行うことができるという効果も得られる。
【００１４】
本発明に係る番組録画装置では、上記番組予約情報書込手段は、上記特定の記録媒体が装填された時に、上記第１録画予約情報を上記特定の記録媒体に書き込むことが好ましい。
【００１５】
上記構成を備えることにより、番組録画装置への装填と同時に、番組録画装置に設定された最新の録画予約情報である第１録画予約情報が特定の記録媒体に書き込まれる。従って、他の番組録画装置は、上記特定の記録媒体を介して第１録画予約情報を取得でき、ユーザは、上記他の番組録画装置に対して第１録画予約情報を設定し直す必要がない。つまり、ユーザは、特定の記録媒体を介して、上記番組録画装置で設定された第１番組録画予約情報を上記他の番組録画装置に容易に設定することができる。また、上記他の番組録画装置での再設定が不要なため、誤操作、あるいは設定し忘れ等による録画失敗を確実に回避することができる。
【００１６】
本発明に係る番組録画装置では、上記番組予約情報書込手段は、上記特定の記録媒体が装填された状態において、上記第３録画予約情報設定手段が上記第３録画予約情報を設定した時に、上記第３録画予約情報を上記特定の記録媒体に書き込むことが好ましい。
【００１７】
上記構成を備えることにより、上記第３録画予約情報設定手段が上記第３録画予約情報を設定した時に、上記番組録画装置と上記他の番組録画装置とで設定された２つの録画予約情報を合成した第３番組録画予約情報が上記特定の記録媒体に書き込まれる。従って、他の番組録画装置は、上記特定の記録媒体を介して第３録画予約情報を取得でき、ユーザは、上記他の番組録画装置に対して第１録画予約情報を設定し直す必要がない。つまり、ユーザは、特定の記録媒体を介して、上記番組録画装置で設定された第３番組録画予約情報を上記他の番組録画装置に容易に設定することができる。また、上記他の番組録画装置での再設定が不要なため、誤操作、あるいは設定し忘れ等による録画失敗を確実に回避することができる。
【００１８】
本発明に係る番組録画装置では、上記特定の記録媒体が装填されていない場合に、その旨を、自身が接続されたテレビ画面への表示、自身が有するディスプレイへの表示、あるいは音声によりユーザに対して警告する第１警告手段を有することが好ましい。
【００１９】
上記番組録画装置は、第１番組録画予約情報および第３番組録画予約情報の少なくとも一方を有している時に、上記特定の記録媒体を装填するよう、ユーザに対して警告することができる。これにより、ユーザは、上記特定の記録媒体を上記番組録画装置に装填して、上記特定の記録媒体への番組録画を確実に行うことができる。
【００２０】
本発明に係る番組録画装置では、録画予約時間が重複する２以上の番組が上記第３録画予約情報に含まれるか否かを判定する録画時間重複判定手段を備えることが好ましい。
【００２１】
第１番組録画予約情報は上記番組録画装置で設定され、第２番組録画予約情報は上記他の番組録画装置で設定されるため、録画予約時間の重複する２以上の番組が上記第３録画予約情報に含まれる可能性がある。この点、上記番組録画装置は録画時間重複判定手段を備えるため、録画予約重複時間の重複の有無を判定することができる。
【００２２】
本発明に係る番組録画装置では、上記録画時間重複判定手段が、録画予約時間が重複する番組が２以上存在すると判断した場合に、該当する番組のうち少なくとも１つを録画する記録手段を備えることが好ましい。
【００２３】
上記録画時間重複判定手段が、録画予約時間が重複する番組が２以上存在すると判断した場合に、該当する番組のうち少なくとも１つを録画する記録手段があれば、一旦その記録手段に番組を録画しておくことができる。そして、上記番組録画装置が使用されていない時に、記録手段に記録された番組を上記特定の記録媒体に転送すればよい。このように、記録手段を備えることにより柔軟に録画先を調整することができ、しかもユーザは、最終的に特定の番組を上記特定の記録媒体に録画することができる。
【００２４】
本発明に係る番組録画装置では、上記録画時間重複判定手段が、録画予約時間が重複する番組が２以上存在すると判断した場合に、その旨を、自身が接続されたテレビ画面への表示、自身が有するディスプレイへの表示、あるいは音声によりユーザに対して警告する第２警告手段を有することが好ましい。
【００２５】
上記構成を備えることにより、ユーザは、録画予約時間が重複する番組が２以上存在することを認識することができ、それにより録画予約時間が重複する番組を設定変更し、または設定を削除することが可能となる。その結果、複数の番組録画装置を用いた番組録画環境において、より適切に、より効率よく、鑑賞したい番組を録画することができる。
【００２６】
本発明に係る番組録画装置では、上記録画時間重複判定手段が、録画予約時間が重複する番組が２以上存在すると判断した場合に、自身で録画するか、あるいは上記他の番組録画装置で録画するかをユーザに選択させる録画装置選択手段を備えることが好ましい。
【００２７】
録画予約時間が重複する番組が２以上存在する場合に、番組録画装置１台では全て録画できない場合が考えられる。そのような場合に、上記番組録画装置は、第３録画予約情報設定手段によって他の番組録画装置の存在を認識しているため、上記他の番組録画装置で番組録画する選択肢があることをユーザに判断させることができる。そこで、録画予約時間が重複する番組が２以上存在する場合には、自身で録画するか、あるいは上記他の番組録画装置で録画するかをユーザに選択させることで、鑑賞したい番組を可能な限り録画することができ、より優れた録画環境をユーザに提供することができる。その結果、ユーザは、複数の番組録画装置を用いて、特定の番組を同一の記録媒体に録画予約することを容易に、より効率的に行うことができる。
【００２８】
なお、上記番組録画装置は、コンピュータによって実現してもよく、この場合には、コンピュータを上記各手段として動作させることにより上記番組録画装置をコンピュータにて実現させる番組録画プログラム、およびそれを記録したコンピュータ読み取り可能な記録媒体も、本発明の範疇に入る。
【発明の効果】
【００２９】
本発明に係る番組録画装置は、以上のように、特定の記録媒体を指定して、番組を録画予約するための情報である第１録画予約情報を設定する第１録画予約情報設定手段と、自身に装填された上記特定の記録媒体を判別する記録媒体判別手段と、他の番組録画装置の存在を認識すると共に、第１録画予約情報と第２録画予約情報とから第３番組録画予約情報を合成して設定する第３録画予約情報設定手段と、上記第１録画予約情報および上記第３録画予約情報の少なくとも一方を読み出して、上記特定の記録媒体に書き込む番組予約情報書込手段と、を備える構成である。
【００３０】
従って、本発明に係る番組録画装置は、特定の記録媒体を介して、複数の番組録画装置を用いて、特定の番組を同一の記録媒体に録画予約する作業を簡素化することができるという効果を奏する。
【発明を実施するための最良の形態】
【００３１】
以下、本実施の形態に係る番組録画装置について、図１〜図６を参照して説明する。図１は、本実施の形態に係る番組録画装置１０の概略図である。
【００３２】
番組録画装置１０は、ハードディスクや光ディスク（ＤＶＤ、ＢＤ）などの記録媒体に放送番組をディジタル信号として記録すると共に、記録媒体から録画予約情報の入出力が可能な番組録画装置であり、第１録画予約情報設定部（第１録画予約情報設定手段）１と、記録媒体判別部（記録媒体判別手段）２と、第３録画予約情報設定部（第３録画予約情報設定手段）３と、録画予約情報書込部（番組予約情報書込手段）４と、を備える。
【００３３】
第１録画予約情報設定部１は、特定のＢＤ（特定の記録媒体）１５を指定して、番組を録画予約するための情報である録画予約情報Ａ（第１録画予約情報）を設定する。ここで、特定の記録媒体とは、例えば複数の番組録画装置を用いて連続ドラマ等のシリーズ番組を同一の記録媒体に録画予約する場合に使用する、当該記録媒体をいう。
【００３４】
録画予約情報の設定は、ユーザが、テレビ等のディスプレイに表示される番組録画予約設定画面を見ながら、装置からのガイダンスに従って、録画したい番組の予約設定（ＥＰＧ、使用者入力等）を行えばできる。例えば、毎週放送されるあるドラマの録画予約を行う場合、毎週録画するかどうかを選択することによって、ドラマ１クール分の録画予約を行うことなどの設定が可能である。その際に、番組を録画するディスク（ＢＤ１５）を指定する。具体的には、後述する図２の「録画先ディスク」の欄に記載されるように、録画するディスクを指定して録画先が管理される。
【００３５】
記録媒体判別部２は、番組録画予約時に指定された特定の記録媒体であるＢＤ１５を判別する。なお、判別されたＢＤ１５には、後述するように、録画予約情報Ａおよび録画予約情報Ｃの少なくとも一方が書き込まれる。
【００３６】
第３録画予約情報設定部３は、第１録画予約情報設定部１で設定した録画予約情報ＡとＢＤ１５に記録された、番組を録画予約するための情報である録画予約情報Ｂ（第２録画予約情報）とを合成して、新たな録画予約情報Ｃ（第３録画予約情報）を設定する。ここで、合成とは、録画予約情報Ａと録画予約情報Ｂとを単純に足し合わせてもよいし、あるいは、録画予約情報Ａと録画予約情報Ｂとの間で重複する録画予約情報がある場合に、重複する一方の録画予約情報を削除したうえで、録画予約情報Ｃを設定してもよい。なお、重複部分を削除する設定の方が、録画予約情報の全体的な情報量を少なくでき、従って、録画予約情報を記憶するメモリの容量を有効に使用できるといったメリットがある。
【００３７】
録画予約情報書込部４は、録画予約情報Ａおよび録画予約情報Ｃの少なくとも一方を読み出して、それらをＢＤ１５に書き込む。書き込むタイミングは、ＢＤ１５が番組録画装置１０に装填された時に、録画予約情報ＡをＢＤ１５に書き込でもよいし、あるいは、ＢＤ１５が装填された状態において、第３録画予約情報設定部３が録画予約情報Ｃを設定した時に、録画予約情報ＣをＢＤ１５に書き込んでもよい。また、その両方のタイミングで、ＢＤ１５に録画予約情報Ａ及びＣを書き込んでもよい。
【００３８】
さらに、番組録画装置１０は、第１警告部（第１警告手段）５、録画時間重複判定部（録画時間重複判定手段）６、第２警告部（第２警告手段）７、録画装置選択部（録画装置選択手段）８、記録部（記録手段）９とを備える。
【００３９】
第１警告部５は、特定の記録媒体が番組録画装置１０に装填されていない場合に、その旨を表示装置１１に表示して警告する。なお、表示装置１１は、番組録画装置１０が接続されたテレビの画面、あるいは番組録画装置１０が有する図示しないディスプレイ、番組録画装置のリモコンに設けられたディスプレイ、携帯電話の画面、メール（携帯、ＰＣ）であってもよい。あるいは、第１警告部５は、音声によって警告を発する構成であってもよい。
【００４０】
録画時間重複判定部６は、録画予約情報Ｃに録画予約時間が重複する２以上の番組が含まれるか否かを判定する。
【００４１】
第２警告部７は、録画時間重複判定部６が、録画予約情報Ｃにおいて録画予約時間が重複する番組が２以上存在すると判断した場合に、その旨を表示装置１１に表示して警告する。なお、警告は音声によるものであってもよい。
【００４２】
録画装置選択部８は、録画時間重複判定部６が、録画予約情報Ｃにおいて録画予約時間が重複する番組が２以上存在すると判断した場合に、番組録画装置１０で当該番組を録画するか、あるいは他の番組録画装置で録画するかをユーザに選択させる。選択は、表示装置１１に選択画面を表示して、ユーザに選択させる構成でよい。
【００４３】
記録部９は、録画時間重複判定部６が、録画予約時間が重複する番組が２以上存在すると判断した場合に、該当する番組のうち少なくとも１つを録画するときに使用されるものであり、番組録画装置１０に内蔵されていても、外付けされていてもよい。また、録画予約情報Ａ、Ｂ、及びＣは、第１録画予約情報設定部１、第３録画予約情報設定部３に記録されても、あるいは記録部９に記録されてもよい。
【００４４】
次に、録画予約情報について図２を参照して説明する。図２は、録画予約情報の一例を示す図であり、特定の記録媒体を指定して、録画したい番組の予約情報である録画予約情報が設定されている。
【００４５】
図２に示すように、録画予約情報は、タイトル、録画日時、チャンネル、録画モード、及び録画先ディスクで表される。例えば、タイトル「番組１」では、録画日時「２００８／３／１  ２１：００〜２２：００」、チャンネル「８ｃｈ」、録画モード「ＬＰ」、録画先ディスク「ディスクａ」となっている。これらの項目情報が、各タイトルごとに指定されている。なお、図２に示す録画予約情報は一例であって、他の情報を含むことも勿論可能である。例えば、録画予約情報として、予約情報作成年月日・時刻、録画曜日繰り返しパターン、情報の有効期間、録画済または未録画を示す情報、といった情報を含むこともできる。
【００４６】
次に、録画予約の一連の流れを図３により説明する。図３は、録画予約の一連の流れを説明するフローである。
【００４７】
最初に、番組録画装置１０にＢＤ１５を装填すると、録画予約情報Ｂが番組録画装置１０に読み込まれる（Ｓ１）。なお、図示はしていないが、すでにこの段階で記録媒体判別部２が、ＢＤ１５が特定の記録媒体であることを判別済みであるものとする。
【００４８】
次に、第１録画予約情報設定部１がすでに録画予約情報Ａを設定している場合（Ｓ２）、録画予約情報書込部４によって録画予約情報ＡがＢＤ１５に書き込まれる（Ｓ３）。
【００４９】
続いて、第３録画予約情報設定部３が、第１録画予約情報設定部１で設定した録画予約情報ＡとＢＤ１５に記録された録画予約情報Ｂとを合成して、新たな録画予約情報Ｃを設定する（Ｓ４）。なお、Ｓ３において、すでに録画予約情報ＡがＢＤ１５に書き込まれているが、このＳ３のステップを省略することも可能である。
【００５０】
その後、録画予約情報書込部４は、録画予約情報ＣをＢＤ１５に書き込み（Ｓ５）、最後はユーザによってＢＤ１５が番組録画装置１０から排出される（Ｓ６）。
【００５１】
なお、Ｓ２において、第１録画予約情報設定部１が録画予約情報Ａを設定していない場合はＮｏに進む。そして、ＢＤ１５が番組録画装置１０に装填されている状態において、第１録画予約情報設定部１が録画予約情報Ａを設定したとする（Ｓ７）。この場合は、第３録画予約情報設定部３が、録画予約情報ＡとＢＤ１５に記録された録画予約情報Ｂとを合成して、新たな録画予約情報Ｃを設定する（Ｓ４）。その後の流れは上述したとおりであり、詳細説明は省略する。
【００５２】
このように、Ｓ１〜Ｓ７のステップを経て、録画予約情報Ａおよび録画予約情報Ｃの少なくとも一方がＢＤ１５に書き込まれる。この流れを、より具体的に図４を参照して説明する。図４は、特定の記録媒体を介した、番組録画装置Ｐ・Ｑの録画予約情報の更新方法を示す図である。
【００５３】
まず、複数の番組録画装置として装置Ｐ・Ｑを使用し、録画先ディスクとしてディスクａを使用する場合を例に考える。
【００５４】
図４（ａ）は、ディスクａが番組録画予約に関する情報を何も保持していない初期状態を示す。一方、装置Ｐには、録画予約情報Ａとして番組１〜５（ドラマ１クール分とし、数字が小さいほど早く放送される）が、いずれも「未録画」として設定されている。なお、この段階で、装置Ｑは、番組録画予約に関する情報を何も保持していないものとする。
【００５５】
図４（ｂ）は、装置Ｐにディスクａが装填された状態を示す。このとき、装置Ｐの録画予約情報Ａがディスクａに読み込まれるため、ディスクａにも録画予約情報Ａが記録される。従って、装置Ｐとディスクａの双方に録画予約情報Ａが記憶されている。なお、装置Ｐにディスクａを装填してから、録画予約情報Ａを設定して、同様の状態に保持することもできる。
【００５６】
装置Ｐは、ディスクａに関する予約情報を管理しているため、ディスクａを装填していない状態において、図示しない第１警告部によってディスクａの装填を促す警告が出される。しかしながら、番組１の放送開始までにディスクａが装置Ｐに装填された場合、上記警告は解除される。なお、番組１の放送開始までに再びディスクａが装置Ｐから取り出された場合は、再び警告が出される。
【００５７】
図４（ｃ）は、装置Ｐにおいて、ディスクａに番組１が録画された状態を示す。この状態において、ディスクａの録画予約情報のうち、番組１の「未録画」が「録画済」へ変更され、装置Ｐの録画予約情報のうち、番組１の「未録画」が「録画済」へ変更される。つまり、ディスクａに番組１が録画されたことを示す情報が、ディスクａと装置Ｐにそれぞれ記録される。
【００５８】
図４（ｄ）は、装置Ｑにディスクａを装填し、ディスクａが保持する録画予約情報が装置Ｑに読み込まれた状態を示す。このように、ディスクａを装置Ｑに装填するだけで、ディスクａに記録された録画予約情報が装置Ｑに読み込まれるため、装置Ｑへの録画予約の設定が簡単に行われる。ここで、装置Ｐは、ディスクａに関する予約情報を管理しているため、図示しない第１警告部によってディスクａの装填を促す警告が出される。
【００５９】
図５（ｅ）は、装置Ｑにおいて、ディスクａに番組２が録画された状態を示す。この状態において、ディスクａの録画予約情報のうち、番組２の「未録画」が「録画済」へ変更され、装置Ｑの録画予約情報のうち、番組２の「未録画」が「録画済」へ変更される。つまり、ディスクａに番組２が録画されたことを示す情報が、ディスクａと装置Ｑにそれぞれ記録される。
【００６０】
この状態では、装置Ｐは番組２に対するディスクａの装填警告を解除できていない。しかしながら、番組２が終了した段階で、録画すべき番組２の放送自体終了しているため、ディスクａの装填を促す警告は解除される。警告としては、例えば、「番組２が録画できていない可能性があります」という警告を定期的に出してもよい。なお、この段階では、ディスクａは装置Ｑに装填されているため、装置Ｐには、次に録画すべき番組３を録画するためのディスクａの装填を促す警告を出すことが可能となる。
【００６１】
図５（ｆ）は、装置Ｐでディスクａに番組３が録画された状態を示す。なお、番組３を録画するためにディスクａが装置Ｐに装填された時点で、ディスクａには番組２が録画されているため、装置Ｐにて番組２について録画済に更新する。なお、「番組２が録画できていない可能性があります」という警告を定期的に出している場合は、その警告を解除することができる。さらに、ディスクａと装置Ｐにて番組３が録画されたことが分かるように、ディスクａと装置Ｐの録画予約情報が更新される。
【００６２】
なお、番組３の放送開始前の段階では、ディスクａは装置Ｐに装填されているため、装置Ｑには、次に録画すべき番組３を録画するためのディスクａの装填を促す警告を出すことが可能となる。番組３が終了した段階で、録画すべき番組３の放送自体終了しているため、ディスクａの装填を促す警告は解除される。警告としては、例えば、「番組３が録画できていない可能性があります」という警告を定期的に出してもよい。なお、この段階では、ディスクａは装置Ｐに装填されているため、装置Ｑには、次に録画すべき番組４を録画するためのディスクａの装填を促す警告を出すことが可能となる。
【００６３】
図５（ｇ）は、装置Ｐ・Ｑどちらにも番組４を録画するためのディスクａを装填しなかったことにより、番組４が録画されなかった状態を示す。このとき、装置Ｐ・Ｑ、及びディスクａは、何れも番組４の録画状態は「未録画」となる。なお、番組４が終了した時点で、録画すべき番組４の放送自体終了しているため、番組４に対するディスクａの装填警告を解除してもよい。または、「番組４が録画できていない可能性があります」という警告を定期的に出してもよい。さらに、この段階では、ディスクａは装置Ｐ、及び装置Ｑに装填されていないため、装置Ｐ・Ｑに、次に録画すべき番組５を録画するためのディスクａの装填を促す警告を出すことが可能となる。
【００６４】
なお、装填警告の解除例として、番組４の放送が終了後、ディスクａに対する装填を促す警告を出さないように、装置Ｐ・Ｑが警告を解除してもよい。あるいは、番組４の放送が終了していない時点（番組４の放送開始前、または番組４の放送中）でも、ユーザの指示によって、装填警告を解除する設定も可能である。
【００６５】
図５（ｈ）は、装置Ｐでディスクａに番組５が録画された状態を示す。この状態において、ディスクａの録画予約情報のうち、番組５の「未録画」が「録画済」へ変更され、装置Ｐの録画予約情報のうち、番組５の「未録画」が「録画済」へ変更される。つまり、ディスクａに番組５が録画されたことを示す情報が、ディスクａと装置Ｐにそれぞれ記録される。
【００６６】
なお、装置Ｑにおいて、番組５が終了した段階で録画すべき番組５の放送自体終了しているため、ディスクａの装填を促す警告は解除される。警告としては、例えば、「番組５が録画できていない可能性があります」という警告を定期的に出してもよい。
【００６７】
ここで、警告を任意に消去したい場合、既に終了した番組等に対する警告が各装置より出ている時に、ユーザによって手動で警告を解除する、またはディスクａを対象の装置に装填して、警告を解除することになる。
【００６８】
ここまでの処理によって、ディスクａに番組１〜５を録画するための予約情報が記録されており、装置Ｐ・Ｑにも同様の予約情報が記憶されている。上述したように、ユーザの選択によりディスクａを他の装置に装填することで、ディスクａに記録されている録画予約情報を他の装置に読み込ませることができ、ユーザがあらためて録画予約を行う手間が省かれる。また、装置側でもディスクａに記録されている録画予約情報を読み込むことで、ディスクａが装置に装填されていない場合、ディスクａの装填期限を装置から使用者に警告するような構成にすることも可能である。
【００６９】
次に、図６を参照して、複数番組の時間帯（それぞれ異なるディスクで録画予定）が重複している場合に発せられる警告について説明する。図６は、複数番組の時間帯（それぞれ異なるディスクで録画予定）が重複している場合のタイムテーブルを示す図である。
【００７０】
図６に示すように、ディスクａには、番組１０１、開始時刻ｔ１’、終了時刻ｔ２’という録画予約情報が設定されている。一方、ディスクｂには、番組１０２、開始時刻ｔ３’、終了時刻ｔ４’という録画予約情報が設定されている。つまり、時刻ｔ３’から時刻ｔ２’の間で録画時間が重複している。
【００７１】
このように、ディスクａ・ｂの録画予約情報が装置Ｐ・Ｑに設定され、しかも、番組の録画時間が重複している状況において、ディスクｂが装置Ｐに装填されたとする。このとき、装置Ｐは、ディスクｂに対して、ディスクｂが有する録画予約情報に基づいて番組の録画をすることができるが、ディスクａが有する録画予約情報に基づいて番組録画をすることはできない。そこで、装置Ｐは、テレビ等の表示ディスプレイにおいて、ディスクａが有する録画予約情報に基づいた番組録画を装置Ｑで行うようユーザに注意を促すことができる。つまり、番組１０１と番組１０２との録画時間帯が重複しているため、装置Ｐでは全て録画することができず、「ディスクａを装置Ｑへ装填して番組１０２を録画してください」といった警告を出すように設定しうる。
【００７２】
次に、上述した番組の録画予約によって得られる効果を説明する。
【００７３】
本実施の形態に係る番組録画装置１０は、特定の記録媒体であるＢＤ１５を指定して録画予約情報Ａを設定する第１録画予約情報設定部１と、自身に装填されたＢＤ１５を判別する記録媒体判別部２と、記録媒体判別部２が判別したＢＤ１５に記録された録画予約情報ＢをＢＤ１５から読み取り、録画予約情報Ｂを記録した他の番組録画装置の存在を認識すると共に、第１録画予約情報設定部１から読み出した録画予約情報Ａに、録画予約情報Ｂを合成し、その合成された情報を録画予約情報Ｃとして設定する第３録画予約情報設定部３と、録画予約情報Ａおよび録画予約情報Ｃの少なくとも一方を読み出して、ＢＤ１５に書き込む録画予約情報書込部４と、を備える構成である。
【００７４】
ユーザは、複数の番組録画装置を用いて、連続ドラマ等の特定の番組を同一の記録媒体（ＢＤ１５）に録画予約しておきたい場合がある。そのような場合に、番組録画装置１０では、ＢＤ１５を指定して、第１録画予約情報設定部１が録画予約情報Ａを設定することができ、しかも、録画予約情報書込部４によってその録画予約情報ＡはＢＤ１５に書き込まれる。
【００７５】
あるいは、ＢＤ１５には、他の番組録画装置が設定した録画予約情報Ｂであって、上記番組録画装置と、時には同一の番組録画予約情報が設定され、時には異なる番組録画予約情報が設定されている。そのような場合、ＢＤ１５であることが記録媒体判別部２によって判別されると、ＢＤ１５に記録された他の番組録画装置が設定した録画予約情報Ｂと上記録画予約情報Ａとから合成された録画予約情報Ｃが設定され、録画予約情報書込部４がその録画予約情報ＣをＢＤ１５に書き込む。つまり、番組録画装置１０と上記他の番組録画装置とで設定された各々の番組録画予約情報が合成されて、その時点で各番組録画装置で設定されている最新の番組録画予約情報がＢＤ１５上に記録される。
【００７６】
このようにして、特定の記録媒体には録画予約情報Ａおよび録画予約情報Ｃの少なくとも一方が書き込まれる。そして、その特定の記録媒体を、その記録媒体に記録された録画予約情報を読み込むことが可能な構成を備えた他の番組録画装置に装填すれば、番組録画装置１０で設定された録画予約情報Ａが、上記他の番組録画装置にも容易に設定され、その結果、ユーザは、複数の番組録画装置を用いて、特定の番組を同一の記録媒体に録画予約する作業を簡素化することができる。
【００７７】
さらに、複数の番組録画装置１０を使用して、各々で設定した録画予約情報をＢＤ１５を介して転送しあうことが可能である。この場合も、ユーザは、複数の番組録画装置１０を用いて、特定の番組を同一の記録媒体に録画予約する作業を簡素化することができる。
【００７８】
本実施の形態に係る番組録画装置１０では、録画予約情報書込部４は、ＢＤ１５が装填された時に、録画予約情報ＡをＢＤ１５に書き込む。
【００７９】
従って、番組録画装置１０への装填と同時に、番組録画装置１０に設定された最新の番組録画予約情報である録画予約情報ＡがＢＤ１５に書き込まれる。従って、他の番組録画装置は、ＢＤ１５を介して録画予約情報Ａを取得でき、ユーザは、他の番組録画装置に対して録画予約情報Ａを設定し直す必要がない。つまり、ユーザは、ＢＤ１５を介して、番組録画装置１０で設定された録画予約情報Ａを他の番組録画装置に容易に設定することができる。また、他の番組録画装置での再設定が不要なため、誤操作、あるいは設定し忘れ等による録画失敗を確実に回避することができる。
【００８０】
本実施の形態に係る番組録画装置１０では、録画予約情報書込部４は、ＢＤ１５が装填された状態において、第３録画予約情報設定部３が録画予約情報Ｃを設定した時に、録画予約情報ＣをＢＤ１５に書き込む。
【００８１】
これにより、第３録画予約情報設定部３が録画予約情報Ｃを設定した時に、番組録画装置１０と他の番組録画装置とで設定された２つの番組録画予約情報を合成した第３番組録画予約情報がＢＤ１５に書き込まれる。従って、他の番組録画装置は、ＢＤ１５を介して録画予約情報Ｃを取得でき、ユーザは、他の番組録画装置に対して録画予約情報Ａを設定し直す必要がない。つまり、ユーザは、ＢＤ１５を介して、番組録画装置１０で設定された第３番組録画予約情報を他の番組録画装置に容易に設定することができる。また、他の番組録画装置での再設定が不要なため、誤操作、あるいは設定し忘れ等による録画失敗を確実に回避することができる。
【００８２】
本実施の形態に係る番組録画装置１０では、ＢＤ１５が装填されていない場合に、その旨を、自身が接続されたテレビ画面への表示、自身が有するディスプレイへの表示、あるいは音声によりユーザに対して警告する第１警告部５を有する。
【００８３】
番組録画装置１０は、録画予約情報Ａおよび録画予約情報Ｃの少なくとも一方を有している時に、ＢＤ１５を装填するよう、ユーザに対して警告することができる。これにより、ユーザは、ＢＤ１５を番組録画装置１０に装填して、ＢＤ１５への番組録画を確実に行うことができる。
【００８４】
本実施の形態に係る番組録画装置１０では、録画予約時間が重複する２以上の番組が録画予約情報Ｃに含まれるか否かを判定する録画時間重複判定部６を備える。
【００８５】
録画予約情報Ａは番組録画装置１０で設定され、第２番組録画予約情報は他の番組録画装置で設定されるため、録画予約時間の重複する２以上の番組が録画予約情報Ｃに含まれる可能性がある。この点、番組録画装置１０は録画時間重複判定部６を備えるため、録画予約重複時間の重複の有無を判定することができる。
【００８６】
本実施の形態に係る番組録画装置１０では、録画時間重複判定部６が、録画予約時間が重複する番組が２以上存在すると判断した場合に、該当する番組のうち少なくとも１つを録画する記録部９を備える。
【００８７】
そして、録画時間重複判定部６が、録画予約時間が重複する番組が２以上存在すると判断した場合に、該当する番組のうち少なくとも１つを録画する記録部９があれば、一旦その記録部９に番組を録画しておくことができる。そして、番組録画装置１０が使用されていない時に、記録部９に記録された番組をＢＤ１５に転送すればよい。このように、記録部９を備えることにより柔軟に録画先を調節することができ、しかもユーザは、最終的に特定の番組をＢＤ１５に録画することができる。
【００８８】
本実施の形態に係る番組録画装置１０では、録画時間重複判定部６が、録画予約時間が重複する番組が２以上存在すると判断した場合に、その旨を、自身が接続されたテレビ画面への表示、自身が有するディスプレイへの表示、あるいは音声によりユーザに対して警告する第２警告部７を有する。
【００８９】
これにより、ユーザは、録画予約時間が重複する番組が２以上存在することを認識することができ、それにより録画予約時間が重複する番組を設定変更し、または設定を削除することが可能となる。その結果、複数の番組録画装置を用いた番組録画環境において、より適切に、より効率よく、鑑賞したい番組を録画することができる。
【００９０】
本実施の形態に係る番組録画装置１０では、録画時間重複判定部６が、録画予約時間が重複する番組が２以上存在すると判断した場合に、自身で録画するか、あるいは他の番組録画装置で録画するかをユーザに選択させる録画装置選択部８を備える。
【００９１】
録画予約時間が重複する番組が２以上存在する場合に、番組録画装置１台では全て録画できない場合が考えられる。そのような場合に、番組録画装置１０は、第３録画予約情報設定部３によって他の番組録画装置の存在を認識しているため、他の番組録画装置で番組録画する選択肢があることをユーザに判断させることができる。そこで、録画予約時間が重複する番組が２以上存在する場合には、自身で録画するか、あるいは他の番組録画装置で録画するかをユーザに選択させることで、鑑賞したい番組を可能な限り録画することができ、より優れた録画環境をユーザに提供することができる。その結果、ユーザは、複数の番組録画装置を用いて、特定の番組を同一の記録媒体に録画予約することを容易に、より効率的に行うことができる。
【００９２】
このように、番組録画装置１０が、他の番組録画装置が存在することを認識していることにより、自身の代わりに、番組録画する装置として他の番組録画装置を指定することができる。
【００９３】
なお、上記実施形態の番組録画装置の各部や各処理ステップは、ＣＰＵなどの演算手段が、ＲＯＭ（Read Only Memory）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態の番組録画装置の各種機能および各種処理を実現することができる。また、上記プログラムをリムーバブルな記録媒体に記録することにより、任意のコンピュータ上で上記の各種機能および各種処理を実現することができる。
【００９４】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【００９５】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【００９６】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等がある。
【００９７】
また、インターネットを含む通信ネットワークを接続可能なシステム構成であれば、通信ネットワークからプログラムをダウンロードするように流動的にプログラムを担持する記録媒体であることが好ましい。
【００９８】
さらに、このように通信ネットワークからプログラムをダウンロードする場合には、そのダウンロード用のプログラムは予め本体装置に格納しておくか、あるいは別な記録媒体からインストールされるものであることが好ましい。
【産業上の利用可能性】
【００９９】
本発明は、複数の番組録画装置間で連動して番組録画予約が可能な番組記録装置、番組録画プログラム、及び該番組録画プログラムを記録したコンピュータ読み取り可能な記録媒体に適用することができる。
【図面の簡単な説明】
【０１００】
【図１】本実施の形態に係る番組録画装置１０の概略図である。
【図２】番組録画予約情報の一例を示す図である。
【図３】録画予約の一連の流れを説明するフローである。
【図４】記録媒体を介した、番組録画装置間の番組録画予約情報の更新方法を示す図であり、（ａ）は、ディスクａが番組録画予約に関する情報を何も保持していない初期状態を示し、（ｂ）は、装置Ｐにディスクａが装填された状態を示し、（ｃ）は、装置Ｐにおいて、ディスクａに番組１が録画された状態を示し、（ｄ）は、装置Ｑにディスクａを装填し、ディスクａが保持する番組録画予約情報が装置Ｑに読み込まれた状態を示す図である。
【図５】記録媒体を介した、番組録画装置間の番組録画予約情報の更新方法を示す図であり、（ｅ）は、装置Ｑにおいて、ディスクａに番組２が録画された状態を示し、（ｆ）は、装置Ｐでディスクａに番組３が録画された状態を示し、（ｇ）は、装置Ｐ・Ｑどちらにも番組４を録画するためのディスクａを装填しなかったことにより、番組４が録画されなかった状態を示し、（ｈ）は、装置Ｐでディスクａに番組５が録画された状態を示す図である。
【図６】複数番組の時間帯（それぞれ異なるディスクで録画予定）が重複している場合のタイムテーブルを示す図である。
【符号の説明】
【０１０１】
１  第１録画予約情報設定部（第１録画予約情報設定手段）
２  記録媒体判別部（記録媒体判別手段）
３  第３録画予約情報設定部（第３録画予約情報設定手段）
４  録画予約情報書込部（番組予約情報書込手段）
５  第１警告部（第１警告手段）
６  録画時間重複判定部（録画時間重複判定手段）
７  第２警告部（第２警告手段）
８  録画装置選択部（録画装置選択手段）
９  記録部（記録手段）
１０  番組録画装置
１１  表示装置
１５  ＢＤ（特定の記録媒体）
録画予約情報Ａ（第１録画予約情報）
録画予約情報Ｂ（第２録画予約情報）
録画予約情報Ｃ（第３録画予約情報）
【図１】
2010068458.tif 000003
【図２】
2010068458.tif 000004
【図３】
2010068458.tif 000005
【図４】
2010068458.tif 000006
【図５】
2010068458.tif 000007
【図６】
2010068458.tif 000008